Podtech/llm-jp-corpus-v4-ja_patent huggingface dataset:
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
内部領域を形成する本体であって、この本体の壁部に貫通形成した充填ポートを有し、そして陰極端部およびこれに対向する陽極端部を有する本体、
前記充填ポートに隣接して位置決めし、圧入できる充填ポートプラグ、
前記充填ポートプラグに隣接して位置決めされ、前記充填ポートプラグを前記充填ポートに圧入して、前記充填ポートをシールする充填ポートカバー、
前記本体の内部に位置決めされ、かつ前記本体から分離した容量性素子、
前記容量性素子と電気的に接続し、前記本体から分離した表面実装陽極終端部、
前記本体と電気的に接続する表面実装陰極終端部、および
前記本体の前記内部領域に収めた液体電解質を有することを特徴とする湿式電解表面実装コンデンサー。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
抵抗器であって、抵抗素子；および
誘電体によって相互に電気的に絶縁され、接着材によって前記抵抗素子の上面に熱的に結合され、それぞれが段差、角度または円形形状を有する上部を有する第１/第２導電素子を有し、
前記第１導電素子が、全体として平面の第１側面を形成するように、前記抵抗素子の第１外縁部に位置合わせした第１外縁部を有し、そして前記第２導電素子が、全体として平面の第２側面を形成するように、前記抵抗素子の第２外縁部に位置合わせした第２外縁部を有し、
前記第１側面に直接接触し、かつ前記抵抗素子の底面の少なくとも一部の下に延在するように設けた第１メッキ層；および
前記第２側面に直接接触し、かつ前記抵抗素子の底面の少なくとも一部の下に延在するように設けた第２メッキ層を有することを特徴とする抵抗器。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
輸送車両用の着座ユニットであって、
互いに並んだ第１の座席と第２の座席とを含み、
前記第１の座席は、前記第２の座席よりも前方にあり、
前記第１の座席及び前記第２の座席は、前記輸送車両の移動方向に対して同一の側に傾斜している、着座ユニット。
【請求項２】
前記第１の座席の水平な長手方向軸は、前記第２の座席の水平な長手方向軸に対して傾斜している、請求項１に記載の着座ユニット。
【請求項３】
前記第１の座席の水平な長手方向軸と前記第２の座席の水平な長手方向軸とは、前記着座ユニットよりも前方の点で交わる、請求項２に記載の着座ユニット。
【請求項４】
前記第１の座席の水平な長手方向軸は、前記第２の座席の水平な長手方向軸に対して鋭角的に傾斜している、請求項２に記載の着座ユニット。
【請求項５】
前記第１の座席及び前記第２の座席の少なくとも一方は、互いに対して移動可能な第１シートパン及び第１座席背もたれを含み、
前記第１座席背もたれは、前記第１座席背もたれが上方に延びる第１位置と、前記第１座席背もたれが水平に延びる第２位置との間で移動可能である、請求項１に記載の着座ユニット。
【請求項６】
前記第１の座席及び前記第２の座席の他方は、互いに対して移動可能な第２シートパン及び第２座席背もたれを含み、
前記第２座席背もたれは、前記第２座席背もたれが上方に延びる第１位置と、前記第２座席背もたれが水平に延びる第２位置との間で移動可能であり、
前記第１座席背もたれ及び前記第２座席背もたれの両方がその前記第２位置にある場合、前記第１の座席及び前記第２の座席は、その上に横たわる乗員を共同して支持するように適合する、請求項５に記載の着座ユニット。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
ｓｐ2混成結合により互いに結合した炭素原子の中心クラスター、および
前記中心クラスターの周りに、６個の先端がある星形配置の先端を形成するように、ｓｐ2混成結合により前記中心クラスターに結合した複数の炭素原子、並びに
ｓｐ3混成結合により互いに結合し、かつ前記中心クラスターと前記星形配置の前記先端の各炭素原子の周囲に六方晶形のロンズデーライトの単位を形成する、複数の周囲炭素原子、を含む炭素同素体。
【請求項２】
ｓｐ3混成結合により互いに結合した複数の周囲炭素原子が、椅子型および舟型配座にある６個の炭素原子の連結した環で結合している、請求項１に記載の炭素同素体。
【請求項３】
前記複数の周囲炭素原子と炭素原子の中心クラスターが、前記複数の周囲炭素原子と炭素原子の中心クラスターに導電性を付与する高いキャリア移動度により特徴づけられる、請求項１に記載の炭素同素体。
【請求項４】
前記炭素同素体が、６個の前記ロンズデーライトの単位および１個の炭素原子の中心クラスターを含む、請求項１に記載の炭素同素体。
【請求項５】
前記複数の周囲炭素原子が、前記炭素同素体の電気絶縁性部分を形成する、請求項１に記載の炭素同素体。
【請求項６】
前記炭素原子の中心クラスターが、導電性である、請求項１に記載の炭素同素体。
【請求項７】
前記炭素同素体が、導電性および電気絶縁性の両方の領域を含む、請求項１に記載の炭素同素体。
【請求項８】
前記炭素同素体が、銀、金、銅および白金からなる群から選択される金属元素でドープされている、請求項１に記載の炭素同素体。
【請求項９】
前記炭素同素体が、トランジスタを形成するためのｎ型またはｐ型材料でドープされている、請求項１に記載の炭素同素体。
【請求項１０】
請求項１〜９のいずれか一項に記載の炭素同素体を含む、集積回路、オプトエレクトロニクスデバイス、半導体デバイス、ホール効果センサー、量子ドット、光学的吸収／変調デバイス、赤外光検出デバイス、光起電力電池、導電性電極、燃料電池、超伝導体、分子吸収センサーおよび圧電性デバイスからなる群から選択されるデバイスまたは用途。
【請求項１１】
電極デバイスであり、前記炭素同素体の炭素原子の中心クラスターが、輸送する伝導性電極として作用するように適合されている、請求項１０に記載のデバイスまたは用途。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
シリコーンブロックコポリマーを含む第１の層、
前記第１の層と隣接する第１の表面及び反対側の第２の表面を有し、前記第１の層の前記シリコーンブロックコポリマーから形成されている、移行層、
前記移行層の前記第２の表面と隣接するガラス様層であって、前記ガラス様層の少なくとも一部が前記移行層から形成されている、ガラス様層、
を備える、複合構造物。
【請求項２】
一次構造物、並びに
前記一次構造物の少なくとも一部の表面上に配置された複合構造物であって、
シリコーンブロックコポリマーを含む第１の層、
前記第１の層と隣接する第１の表面及び反対側の第２の表面を有し、前記第１の層の前記シリコーンブロックコポリマーから形成されている、移行層、
前記移行層の前記第２の表面と隣接するガラス様層であって、前記ガラス様層の少なくとも一部が前記移行層から形成されている、ガラス様層、
を含む、複合構造物
を備える、物品。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
酸化カルシウムまたは酸化カルシウムと酸化マグネシウムの混合物を４０−１００総乾燥重量パーセント含有して成る前駆体アルカリ土類金属酸化物粒子に、（ｉ）澱粉、（ｉｉ）アスパラギン酸、グルタミン酸、グリシン、アラニン、フェニルアラニン、メチオニン、セリンおよびトレオニンから成る群より選択されるアミノカルボン酸、または（ｉｉｉ）それらの混合物の存在下、２００℃−７００℃内の平均温度で２０−３００分間熱処理を受けさせた、処理アルカリ土類金属酸化物粒子、を含有して成る組成物。
【請求項２】
前記処理アルカリ土類金属酸化物粒子が、前記粒子の総乾燥重量を基準にして少なくとも８０−１００総乾燥重量パーセントの酸化カルシウムを含有して成り、かつ前記処理粒子が、２５０℃−５００℃で２０−２００分間熱処理を受けたものである、請求項１記載の組成物。
【請求項３】
澱粉、アミノカルボン酸またはそれらの混合物の存在下２００℃―７００℃の平均温度で２０−３００分の熱処理が完了した後の、処理された酸化カルシウムまたは粒子または処理された酸化カルシウムと酸化マグネシウムの混合物の粒子が、水和を開始させるに充分な量の水と混合した時に、請求項１に記載された温度範囲の熱処理を受けさせなかった以外は同じである酸化カルシウムまたは酸化カルシウムと酸化マグネシウムの混合物の粒子に比べて、水と混合した時に少なくとも３０分の水和の開始の遅れを示す、請求項１記載の組成物。
【請求項４】
前記前駆体粒子が、アスパラギン酸の存在下で加熱され、前記アスパラギン酸の少なくとも８０重量パーセントが、Ｌ−アスパラギン酸である、請求項１記載の組成物。
【請求項５】
前記澱粉が、トウモロコシ、タピオカ、小麦、米、ジャガイモ、サツマイモ、サゴ、豆およびこれらの混合物から得た精製澱粉から選択されるアルファ化澱粉である、請求項１記載の組成物。
【請求項６】
更に水和性セメント質結合剤を含有して成り、場合により更に骨材を含有して成り、水と混合した時に、セメント質モルタル、コンクリートまたはショットクリートの、ペーストまたはスラリーを形成する、請求項１記載の組成物。
【請求項７】
セメント質結合剤および請求項１記載の組成物を一緒に混合することを含んで成る、セメント質組成物を改質する方法。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
焼結材料を調製するための方法であって、５０μｍ未満の粒径を有する粒子形態の少なくとも１種の無機化合物を、前記無機化合物を部分的に溶解できる溶媒と合わせて、混合物を形成すること、ならびに圧力および熱を前記混合物に加えて、前記溶媒を蒸発させ、前記少なくとも１種の無機化合物を高密度化して、焼結材料を形成することを含み、前記加えられる熱が、前記溶媒の沸点を２００℃以下で上回る温度であり、前記焼結材料を８０％超の相対密度になるまで高密度化する、方法。
【請求項２】
焼結複合材料を調製するための方法であって、粒子形態の少なくとも１種の無機化合物および少なくとも１種の他の物質を、前記無機化合物を部分的に溶解できる溶媒と合わせて、混合物を形成すること、ならびに圧力および熱を前記混合物に加えて、前記溶媒を蒸発させ、前記少なくとも１種の無機化合物を高密度化して、焼結複合材料を形成することを含み、前記加えられる熱が、前記溶媒の沸点を２００℃以下で上回る温度であり、前記焼結材料を８０％超の相対密度になるまで高密度化する、方法。
【請求項３】
前記溶媒が、１種または複数の原料化合物を含む、請求項１に記載の方法。
【請求項４】
基材上に焼結材料を調製するための方法であって、セラミックを基材上に堆積させ、続いて、前記堆積したセラミックを水性溶媒に曝露して、濡れた状態の堆積したセラミックを形成すること、ならびに圧力および熱を前記濡れた状態の堆積したセラミックに加えて、前記セラミックを前記基材上に焼結することを含み、前記加えられる熱が、２００℃以下であり、前記加えられる圧力が、５，０００ＭＰａ以下であり、前記セラミックが、８５％以上の相対密度になるまで焼結される、方法。
【請求項５】
前記焼結材料または複合材料が、６０分以下の期間で少なくとも８５％の相対密度を達成するか、または前記焼結材料または複合材料が、３０分以下の期間で少なくとも９０％の相対密度を達成する、請求項１から４のいずれか一項に記載の方法。
【請求項６】
前記溶媒が、Ｃ１〜１２アルコール、ケトン、エステルもしくは水または有機酸またはこれらの混合物のうちの１つまたは複数を含み、前記溶媒が、２００℃未満の沸点を有する、請求項１から４のいずれか一項に記載の方法。
【請求項７】
前記溶媒が、少なくとも５０重量％の水を含む、請求項１から４のいずれか一項に記載の方法。
【請求項８】
前記無機化合物またはセラミックおよび前記溶媒が、前記無機化合物またはセラミックを、前記溶媒の制御された相対雰囲気に曝露することによって合わせられる、請求項１、２または４に記載の方法。
【請求項９】
前記加えられる熱が、２５０℃以下の温度である、請求項１から３のいずれか一項に記載の方法。
【請求項１０】
前記圧力が、一軸圧力である、請求項１から４のいずれか一項に記載の方法。
【請求項１１】
前記焼結材料または複合材料の相対密度が、９０％超である、請求項１から４のいずれか一項に記載の方法。
【請求項１２】
前記少なくとも１種の無機化合物またはセラミックが、３０μｍ未満の粒径を有する、請求項１から４のいずれか一項に記載の方法。
【請求項１３】
前記少なくとも１種の無機化合物またはセラミックを微粉砕した後、前記混合物を形成することをさらに含む、請求項１から４のいずれか一項に記載の方法。
【請求項１４】
前記混合物を２個以上の基材上に形成すること、および焼結無機化合物または複合材料によって前記２個以上の基材を積層することをさらに含む、請求項１から４のいずれか一項に記載の方法。
【請求項１５】
前記他の物質が、ポリマーである、請求項２に記載の方法。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
アシアロ糖タンパク質受容体（ＡＳＧＰＲ）に対する特異的結合のための免疫グロブリンであって、
（ａ）（ｉ）ＳＥＱ ＩＤ ＮＯ：４５、ＳＥＱ ＩＤ ＮＯ：５５、およびＳＥＱ ＩＤ ＮＯ：４７；（ｉｉ）または、ＳＥＱ ＩＤ ＮＯ：４５、ＳＥＱ ＩＤ ＮＯ：４６、およびＳＥＱ ＩＤ ＮＯ：４７を含む重鎖可変領域配列；ならびに、
（ｂ）ＳＥＱ ＩＤ ＮＯ：４８、ＳＥＱ ＩＤ ＮＯ：４９、およびＳＥＱ ＩＤ ＮＯ：５０を含む軽鎖可変領域配列を含む、免疫グロブリン。
【請求項２】
ＣＨ１ドメインを含む、請求項１に記載の免疫グロブリン。
【請求項３】
免疫グロブリンがヒト化される、請求項１又は２に記載の免疫グロブリン。
【請求項４】
重鎖可変領域配列は、ＳＥＱ ＩＤ ＮＯ：４５、５５、および４７を含む、請求項１乃至３のいずれか１つに記載の免疫グロブリン。
【請求項５】
重鎖可変領域配列は、ＳＥＱ ＩＤ ＮＯ：４５−４７を含む、請求項１乃至３のいずれか１つに記載の免疫グロブリン。
【請求項６】
重鎖可変領域配列は、ＳＥＱ ＩＤ ＮＯ：４３のアミノ酸配列のフレームワークに対して少なくとも約９５％同一である配列を含む、請求項１乃至３のいずれか１つに記載の免疫グロブリン。
【請求項７】
重鎖可変領域配列は、２つ以下のアミノ酸だけＳＥＱ ＩＤ ＮＯ：４３とは異なる配列を含む、請求項１乃至３のいずれか１つに記載の免疫グロブリン。
【請求項８】
重鎖可変領域配列は、ＳＥＱ ＩＤ ＮＯ：４３を含む、請求項１乃至３のいずれか１つに記載の免疫グロブリン。
【請求項９】
重鎖可変領域配列は、ＳＥＱ ＩＤ ＮＯ：３６を含む、請求項８に記載の免疫グロブリン。
【請求項１０】
重鎖可変領域配列は、ＳＥＱ ＩＤ ＮＯ：３４を含む、請求項９に記載の免疫グロブリン。
【請求項１１】
重鎖可変領域配列は、ＳＥＱ ＩＤ ＮＯ：３９のアミノ酸配列のフレームワークに対して少なくとも約９５％同一である配列を含む、請求項５に記載の免疫グロブリン。
【請求項１２】
重鎖可変領域配列は、２つ以下のアミノ酸だけＳＥＱ ＩＤ ＮＯ：３９とは異なる配列を含む、請求項５に記載の免疫グロブリン。
【請求項１３】
重鎖可変領域配列は、ＳＥＱ ＩＤ ＮＯ：３９を含む、請求項５に記載の免疫グロブリン。
【請求項１４】
重鎖可変領域配列は、ＳＥＱ ＩＤ ＮＯ：１６７を含む、請求項１３に記載の免疫グロブリン。
【請求項１５】
軽鎖可変領域配列は、ＳＥＱ ＩＤ ＮＯ：４１のアミノ酸配列のフレームワークに対して少なくとも約９５％同一である配列を含む、請求項１乃至１４のいずれか１つに記載の免疫グロブリン。
【請求項１６】
軽鎖可変領域配列は、２つ以下のアミノ酸だけＳＥＱ ＩＤ ＮＯ：４１とは異なる配列を含む、請求項１乃至１４のいずれか１つに記載の免疫グロブリン。
【請求項１７】
軽鎖可変領域配列は、ＳＥＱ ＩＤ ＮＯ：４１を含む、請求項１乃至１４のいずれか１つに記載の免疫グロブリン。
【請求項１８】
軽鎖可変領域配列は、ＳＥＱ ＩＤ ＮＯ：４４のアミノ酸配列のフレームワークに対して少なくとも約９５％同一である配列を含む、請求項１乃至１４のいずれか１つに記載の免疫グロブリン。
【請求項１９】
軽鎖可変領域配列は、２つ以下のアミノ酸だけＳＥＱ ＩＤ ＮＯ：４４とは異なる配列を含む、請求項１乃至１４のいずれか１つに記載の免疫グロブリン。
【請求項２０】
軽鎖可変領域配列は、ＳＥＱ ＩＤ ＮＯ：４４を含む、請求項１乃至１４のいずれか１つに記載の免疫グロブリン。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
患者のパルスオキシメトリデータを送信及び受信する方法であって、
パルスオキシメータを使用して、前記患者の脈拍データ及びＳｐＯ２データを収集するステップと、
前記脈拍データ及び前記ＳｐＯ２データを、パルスオキシメトリモニタに送信するステップと、
前記脈拍データ及び前記ＳｐＯ２データを、センサデータベースに保存するステップと、
前記脈拍データ、前記ＳｐＯ２データ、第１のユニークキー及びデバイスＩＤに基づいて、暗号化されたデータを生成するステップと、
前記暗号化されたデータ、前記第１のユニークキー及び前記デバイスＩＤを、前記パルスオキシメトリモニタと通信するクラウド医療サーバに送信するステップと、
前記暗号化されたデータを復号化するステップと、
新しいデータを生成するために、復号化された前記データを分析するステップと、
前記新しいデータ及び第２のユニークキーを暗号化するステップと、
暗号化された前記新しいデータ及び前記第２のユニークキーを、前記パルスオキシメトリモニタに送信するステップと、
暗号化された前記新しいデータを復号化するステップと、
を含み、
復号化された前記新しいデータは、前記パルスオキシメトリモニタ上に表示される、方法。
【請求項２】
前記暗号化されたデータを生成するステップは、
前記センサデータベースにアクセスし、前記デバイスＩＤについて、最近保存された脈拍データ及びＳｐＯ２データを取り出すステップと、
取り出された前記脈拍データ及び取り出された前記ＳｐＯ２データを暗号化するステップと、
乱数発生器を使用して、パルスオキシメータハードウェアキーにアクセスするステップと、
前記パルスオキシメータハードウェアキーを使用して、前記第１のユニークキーを作成するステップと、
を含む、請求項１に記載の方法。
【請求項３】
暗号化された前記新しいデータを復号化するステップは、
既知のネットワークハードウェアキーを取り出すステップと、
前記既知のネットワークハードウェアキーを使用して、暗号化された前記新しいデータを復号化するステップと、
復号化された前記新しいデータを、受信データデータベースに保存するステップと、
を含む、請求項１に記載の方法。
【請求項４】
暗号化された前記新しいデータを復号化するステップは、
デバイスデータベースにアクセスし、前記デバイスＩＤについて、最近保存された前記脈拍データ及び前記ＳｐＯ２データを見つけるステップと、
前記デバイスＩＤに対応するパルスオキシメトリハードウェアキーを取り出すステップと、
暗号化された前記新しいデータを復号化するステップと、
復号化された前記新しいデータを、前記センサデータベースに保存するステップと、
を含む、請求項１に記載の方法。
【請求項５】
暗号化された前記新しいデータを生成するステップは、
ネットワーク分析データベースにアクセスし、前記デバイスＩＤについて、最近保存された前記脈拍データ及び前記ＳｐＯ２データを取り出すステップと、
取り出した前記脈拍データ及び取り出した前記ＳｐＯ２データを暗号化するステップと、
乱数発生器を使用して、パルスオキシメータハードウェアキーにアクセスするステップと、
前記パルスオキシメータハードウェアキーを使用して、前記第２のユニークキーを作成するステップと、
を含む、請求項１に記載の方法。
【請求項６】
カプノメータ、ＣＯ−オキシメータ、動脈血液ガス分析器、グルコースメータ、血圧モニタ又はこれらの組み合わせから選択される１つ以上の追加のデバイスを使用して、前記クラウド医療サーバを介して、機密医療データを送信及び受信するステップを更に含む、請求項１に記載の方法。
【請求項７】
前記１つ以上の追加のデバイスは、認証された医療デバイス又は権限を与えられたエンティティに提供される機密患者情報へのアクセスを制限するように認証されている、請求項６に記載の方法。
【請求項８】
前記１つ以上の追加のデバイスは、前記１つ以上の追加のデバイスからの承認コードを使用して認証される、請求項７に記載の方法。
【請求項９】
前記パルスオキシメータ及び前記１つ以上の追加のデバイスのそれぞれからのデータは、組み合わされる前に別々に暗号化される、請求項８に記載の方法。
【請求項１０】
前記パルスオキシメータ及び前記１つ以上の追加のデバイスのそれぞれからのデータは、最初に組み合わされて、次に、１つの集まりとして暗号化される、請求項８に記載の方法。
【請求項１１】
前記患者に適した追加の識別子を、前記クラウド医療サーバに送信するステップを更に含む、請求項１に記載の方法。
【請求項１２】
前記クラウド医療サーバは、前記パルスオキシメータ及び前記１つ以上の追加のデバイスへのアクセスを認証するようにリクエストを送信する、請求項６に記載の方法。
【請求項１３】
前記パルスオキシメータ、又は、前記１つ以上の追加のデバイスのうちの１つは、認証トークンを生成する、請求項１２に記載の方法。
【請求項１４】
患者のパルスオキシメトリデータを送信及び受信するシステムであって、
前記患者の脈拍データ及びＳｐＯ２データを収集するパルスオキシメータと、
前記パルスオキシメータから、前記脈拍データ及び前記ＳｐＯ２データを受信するパルスオキシメトリモニタと、
前記脈拍データ及び前記ＳｐＯ２データが保存されるセンサデータベースと、
メモリに記憶されている命令を実行するパルスオキシメトリプロセッサと、
を含み、
前記パルスオキシメトリプロセッサによる前記命令の実行は、
前記脈拍データ、前記ＳｐＯ２データ、第１のユニークキー及びデバイスＩＤを使用して、暗号化されたデータを生成し、
前記暗号化されたデータ、前記第１のユニークキー及び前記デバイスＩＤを、前記パルスオキシメトリモニタに接続されているクラウド医療サーバに送信し、
前記暗号化されデータを復号化し、
新しいデータを生成するために、復号化された前記データを分析し、
前記新しいデータ及び第２のユニークキーを暗号化し、
暗号化された前記新しいデータ及び前記第２のユニークキーを、前記パルスオキシメトリモニタに送信し、
暗号化された前記新しいデータを復号化し、
復号化された前記新しいデータは、前記パルスオキシメトリモニタ上に表示される、システム。
【請求項１５】
前記パルスオキシメトリプロセッサは、
前記センサデータベースにアクセスし、前記デバイスＩＤについて、最近保存された脈拍データ及びＳｐＯ２データを取り出すことと、
取り出された前記脈拍データ及び取り出された前記ＳｐＯ２データを暗号化することと、
乱数発生器を使用して、パルスオキシメータハードウェアキーにアクセスすることと、
前記パルスオキシメータハードウェアキーを使用して、前記第１のユニークキーを作成することと、
を含む、前記暗号化されたデータを生成することを含む動作によって、前記脈拍データ、前記ＳｐＯ２データ、第１のユニークキー及びデバイスＩＤを使用して、前記暗号化されたデータを生成するための命令を実行するようにプログラムされる、請求項１４に記載のシステム。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ワイヤレスネットワークにおける多入力多出力（ＭＩＭＯ）通信用の複数のチャネルのチャネル推定用の情報を送信する電子デバイスの方法であって、前記方法は、
第１のチャネルに関連付けられた第１のチャネル推定信号を備える複素数の第１のセットを決定するステップと、
第２のチャネルに関連付けられた第２のチャネル推定信号を備える複素数の第２のセットを決定するステップと、
物理レイヤ（ＰＨＹ）フレームを介して複素数の前記第１のセットおよび複素数の前記第２のセットを送信するステップと
を含み、
複素数の前記第２のセットは複素数の前記第１のセットの共役複素数である方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
ライトフィールドプリントを製造する方法であって、前記ライトフィールドプリントは、透明前層及び透明後層を含む少なくとも２つの異なる透明層を備え、前記方法は、
前記ライトフィールドプリントを使用してレンダリングする内容を取得することであって、前記内容は複数のシーンビューを含む、内容を取得することと、
プリントプロセス情報を取得することと、
少なくとも部分的に前記内容及び前記プリントプロセス情報に基づいて、前記透明前層の第１の標的パターン及び前記透明後層の第２の標的パターンを生成することと、
前記第１の標的パターンに従って、前記透明前層にプリント材料を付着させることにより、前記透明前層に前記第１の標的パターンをプリントすることと、
前記第２の標的パターンに従って、前記透明後層にプリント材料を付着させることにより、前記透明後層に前記第２の標的パターンをプリントすることと
を含み、
前記透明前層は、前記透明後層からある距離で深度的に離間され、距離は、６ｍｍ及びＬ／６０のうちの大きい方以下であり、Ｌは、前記透明前層及び前記透明後層が異なるサイズである場合、前記透明前層及び前記透明後層のうちの大きい方の最大線形広がりであり、前記透明前層及び前記透明後層が同じサイズである場合、前記透明前層の最大線形広がりである、方法。
【請求項２】
少なくとも１つのブラー変換を指定する情報を取得すること
を更に含み、
前記第１の標的パターン及び前記第２の標的パターンを生成することは、前記少なくとも１つのブラー変換を指定する情報に更に基づいて実行される、請求項１に記載の方法。
【請求項３】
前記第１の標的パターンを生成することは、
少なくとも部分的に前記内容及び前記プリントプロセス情報に基づいて、前記プリント前層の第１の初期標的パターン及び前記プリント後層の第２の初期標的パターンを生成することと、
プリント及び／又は媒体動力学の影響を補償するように前記第１の初期標的パターンを変更して、前記第１の標的パターンを取得することと、
プリント及び／又は媒体動力学の影響を補償するように前記第１の初期標的パターンを変更して、前記第１の標的パターンを取得することと
を更に含む、請求項１又は２に記載の方法。
【請求項４】
前記第１の初期標的パターンを変更することは、ドットゲインの影響について前記第１の初期標的パターンを補償することを含む、請求項３又は１もしくは２のいずれか一項に記載の方法。
【請求項５】
ドットゲインの影響について前記第１の初期標的パターンを補償することは、空間線形フィルタリングを前記第１の初期標的パターンに適用することを含む、請求項４又は１から３のいずれか一項に記載の方法。
【請求項６】
前記第１の初期標的パターンを変更することは、前記透明前層のプリント材料滲み及び／又は最大許容プリント材料濃度の影響について、前記第１の初期標的パターンを補償することを含む、請求項４又は１から３もしくは５のいずれか一項に記載の方法。
【請求項７】
前記第１の透明前層のプリント材料滲み及び／又は最大許容可能プリント材料濃度の影響について前記第１の初期標的パターンを補償することは、プリント材料が、複数のピクセルの位置において前記透明前層に付着しないように、前記初期標的パターン内の前記複数のピクセルをなくすことを含む、請求項６又は１から５のいずれか一項に記載の方法。
【請求項８】
前記透明前層に材料を付着させることは、インク又はトナーを前記透明前層に付着させることを含む、請求項１又は２から７のいずれか一項に記載の方法。
【請求項９】
前記透明前層及び前記透明後層から前記ライトフィールドプリントを組み立てることを更に含む、請求項１又は２から８のいずれか一項に記載の方法。
【請求項１０】
前記組み立てることは、
前記第２の標的パターンを前記透明後層及にプリントした後且つ前記第１の標的パターンを前記透明前層にプリントした後、前記透明前層を前記透明後層に配置することと、
前記透明前層を前記透明後層に配置した後、前記第１の標的パターンを前記透明前層にプリントすることと
を含む、請求項１又は２から９のいずれか一項に記載の方法。
【請求項１１】
０．００２５インチ以下のドットピッチで前記第１の標的パターンをプリントすることを含む、請求項１又は２から１０のいずれか一項に記載の方法。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
チャネル状態情報(CSI)フィードバックを送信するための、ユーザ機器(UE)によるワイヤレス通信の方法であって、
前記UEにおける受信機性能に関する能力情報を送信するための第1の時間スケールを決定するステップであって、前記能力情報が、チャネル状態情報の関数として前記UEにおける受信機性能を示す情報を含む、ステップと、
前記チャネル状態情報を送信するための第2の時間スケールを決定するステップであって、前記第2の時間スケールが前記第1の時間スケールよりも高速の時間スケールである、ステップと、
前記決定された第1の時間スケールに従って前記能力情報を、および前記決定された第2の時間スケールに従って前記チャネル状態情報を送信するステップと
を含む方法。
【請求項２】
前記第1の時間スケールおよび前記第2の時間スケールを決定するステップが、前記第1の時間スケールおよび前記第2の時間スケールを示す情報を基地局から受信するステップを含む、請求項1に記載の方法。
【請求項３】
前記UEが、前記能力情報よりも頻繁に前記チャネル状態情報を送信する、請求項1に記載の方法。
【請求項４】
前記チャネル状態情報が、信号状態または干渉状態のうちの少なくとも1つに関する情報を含む、請求項1に記載の方法。
【請求項５】
前記能力情報が、信号ランク、変調およびコーディング方式(MCS)、または送信モード(TM)のうちの少なくとも1つの関数として、信号相互情報(S-MI)のブロック誤り率(BLER)を含む、請求項1に記載の方法。
【請求項６】
前記能力情報がMCSを含むとき、前記MCSが、基地局から前記UEによって受信されたトランスポートブロックの数について、90%BLERポイントが達成されるMCSを含む、請求項5に記載の方法。
【請求項７】
前記能力情報が、干渉ランク、変調およびコーディング方式(MCS)、または送信モード(TM)のうちの少なくとも1つの関数として、干渉相互情報(I-MI)のブロック誤り率(BLER)を含む、請求項1に記載の方法。
【請求項８】
前記能力情報がMCSを含むとき、前記MCSが、基地局から前記UEによって受信されたトランスポートブロックの数について、90%BLERポイントが達成されるMCSを含む、請求項7に記載の方法。
【請求項９】
前記チャネル状態情報が、信号レベル、干渉レベル、信号行列、または干渉行列のうちの少なくとも1つを含む、請求項1に記載の方法。
【請求項１０】
前記信号行列または前記干渉行列のうちの前記少なくとも1つが、有限数の値に量子化される、請求項9に記載の方法。
【請求項１１】
ユーザ機器(UE)からチャネル状態情報(CSI)フィードバックを受信するための、基地局(BS)によるワイヤレス通信の方法であって、
前記UEにおける受信機性能に関する能力情報を前記UEから受信するステップであって、前記能力情報が、チャネル状態情報の関数として前記UEにおける受信機性能を示す情報を含む、ステップと、
前記UEから前記チャネル状態情報を受信するステップであって、前記BSが、前記チャネル状態情報を前記能力情報よりも頻繁に受信する、ステップと、
前記能力情報および前記チャネル状態情報に少なくとも部分的に基づいて、前記UEをスケジュールするステップと
を含む方法。
【請求項１２】
前記能力情報を送信するために使用するための第1の時間スケールの指示と、前記チャネル状態情報を送信するために使用するための第2の時間スケールの指示とを前記UEに送信するステップをさらに含む、請求項11に記載の方法。
【請求項１３】
チャネル状態情報(CSI)フィードバックを送信するための、ユーザ機器(UE)によるワイヤレス通信のための装置であって、
前記UEにおける受信機性能に関する能力情報を送信するための第1の時間スケールを決定するための手段であって、前記能力情報が、チャネル状態情報の関数として前記UEにおける受信機性能を示す情報を含む、手段と、
前記チャネル状態情報を送信するための第2の時間スケールを決定するための手段であって、前記第2の時間スケールが前記第1の時間スケールよりも高速の時間スケールである、手段と、
前記決定された第1の時間スケールに従って前記能力情報を、および前記決定された第2の時間スケールに従って前記チャネル状態情報を送信するための手段と
を備える、装置。
【請求項１４】
ユーザ機器(UE)からチャネル状態情報(CSI)フィードバックを受信するための、基地局(BS)によるワイヤレス通信のための装置であって、
前記UEにおける受信機性能に関する能力情報を前記UEから受信するための手段であって、前記能力情報が、チャネル状態情報の関数として前記UEにおける受信機性能を示す情報を含む、手段と、
前記UEから前記チャネル状態情報を受信するための手段であって、前記BSが、前記チャネル状態情報を前記能力情報よりも頻繁に受信する、手段と、
前記能力情報および前記チャネル状態情報に少なくとも部分的に基づいて、前記UEをスケジュールするための手段と
を備える、装置。
【請求項１５】
コンピュータにより実行されたときに、請求項1から10ならびに請求項11および12のうちのいずれか一項に記載の方法を前記コンピュータに実行させる命令を備えるコンピュータ可読記録媒体。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
炭水化物源；
タンパク質等価源であって、その１％〜９９％が、配列番号４、配列番号１３、配列番号１７、配列番号２１、配列番号２４、配列番号３０、配列番号３１、配列番号３２、配列番号５１、配列番号５７、配列番号６０、および配列番号６３を含むペプチド成分を含み、かつ、その１％〜９９％が、部分的に加水分解されたタンパク質、広範囲に加水分解されたタンパク質、またはそれらの組み合わせを含むタンパク質等価源；
脂肪または脂質源；および
２２ｍｇ／１００ｋｃａｌ〜２８０ｍｇ／１００ｋｃａｌの量の食品酪酸塩、およびポリデキストロースおよびガラクトオリゴ糖を含む内因性酪酸塩の生産を刺激するための成分
を含む栄養組成物。
【請求項２】
前記ペプチド成分が、約０．２ｇ／１００ｋｃａｌ〜約５．６ｇ／１００ｋｃａｌの量で存在する、請求項１に記載の栄養組成物。
【請求項３】
前記ペプチド成分が、表１から選択される少なくとも１０個の追加のペプチドをさらに含む、請求項１に記載の栄養組成物。
【請求項４】
前記タンパク質等価源が、４０％未満の加水分解度を有する部分的に加水分解されたタンパク質を含む、請求項１に記載の栄養組成物。
【請求項５】
前記食品酪酸塩が酪酸ナトリウムを含む、請求項１に記載の栄養組成物。
【請求項６】
前記食品酪酸塩が乳由来の濃縮脂質画分によって提供される、請求項１に記載の栄養組成物。
【請求項７】
前記乳由来の濃縮脂質画分が、乳脂肪球皮膜をさらに含む、請求項６に記載の栄養組成物。
【請求項８】
１つ以上の長鎖多価不飽和脂肪酸をさらに含む、請求項１に記載の栄養組成物。
【請求項９】
前記１つ以上の長鎖多価不飽和脂肪酸が、ドコサヘキサエン酸、アラキドン酸、およびそれらの組み合わせを含む、請求項８に記載の栄養組成物。
【請求項１０】
１つ以上のプロバイオティクス（ｐｒｏｂｉｏｔｉｃｓ）をさらに含む、請求項１に記載の栄養組成物。
【請求項１１】
β-グルカンをさらに含む、請求項１に記載の栄養組成物。
【請求項１２】
前記栄養組成物が乳児用フォーミュラである、請求項１に記載の栄養組成物。
【請求項１３】
１００ｋｃａｌあたり：
（ｉ）約６ｇ〜約２２ｇの炭水化物源；
（ｉｉ）約１ｇ〜約７ｇのタンパク質等価源であって、その１％〜９９％が、配列番号４、配列番号１３、配列番号１７、配列番号２１、配列番号２４、配列番号３０、配列番号３１、配列番号３２、配列番号５１、配列番号５７、配列番号６０および配列番号６３を含むペプチド成分を含み、かつ、その１％〜９９％が、部分的に加水分解されたタンパク質、および広範に加水分解されたタンパク質、またはそれらの組み合わせを含む、タンパク質源；
（ｉｉｉ）約１ｇ〜約１０．３ｇの脂肪源；
（ｉｖ）ポリデキストロースおよびガラクトオリゴ糖を含む約０．１５ｇ〜約１．５ｇのプレバイオティックス（ｐｒｅｂｉｏｔｉｃ）成分；および
（ｖ）約２２ｍｇ〜２８０ｍｇの食品酪酸塩
を含む栄養組成物。
【請求項１４】
前記ペプチド成分が、表１から選択される少なくとも１０個の追加のペプチドをさらに含む、請求項１３に記載の栄養組成物。
【請求項１５】
１つ以上の長鎖多価不飽和脂肪酸をさらに含む、請求項１３に記載の栄養組成物。
【請求項１６】
１つ以上のプロバイオティクスをさらに含む、請求項１３に記載の栄養組成物。
【請求項１７】
（i）炭水化物源;
（ii）脂肪または脂質源;および
（iii）タンパク質等価源であって、アミノ酸を含み、その約１０％〜約９０％が必須アミノ酸を含み、かつ、その約１０％〜約９０％が非必須アミノ酸、２２ｍｇ／１００ｋｃａｌ〜２８０ｍｇ／１００ｋｃａｌの量の食品酪酸塩、およびポリデキストロースおよびガラクトオリゴ糖を含む内因性酪酸塩の生産を刺激するための成分を含む、タンパク質等価源；
を含む栄養組成物。
【請求項１８】
前記栄養組成物が１つ以上のプロバイオティクスを含む、請求項１７に記載の組成物。
【請求項１９】
前記栄養組成物が乳児用フォーミュラである、請求項１７に記載の組成物。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
電気化学電源のための絶縁および電圧調整回路であって、前記回路は、
前記電源に結合して、前記電源から入力電圧を受信するための入力端子と、
負荷に結合するための出力端子と、
前記入力端子と前記出力端子との間に接続されるダイオード回路と、
前記入力端子と前記出力端子との間の前記ダイオード回路を通る電気伝導を制御するように構成されたダイオードコントローラとを備え、前記ダイオードコントローラは、前記出力端子に結合される第１のコントローラ入力と、第２のコントローラ入力とを有し、前記回路はさらに、
前記入力電圧と基準電圧との比較に従って前記第２のコントローラ入力の電圧を設定するように構成された基準コントローラを備える、回路。
【請求項２】
前記基準コントローラは前記入力端子と前記第２のコントローラ入力との間に結合される、請求項１に記載の回路。
【請求項３】
前記基準コントローラは、前記第２のコントローラ入力を、（ｉ）前記入力電圧が前記基準電圧よりも大きい場合は基準電圧源に、（ｉｉ）前記入力電圧が前記基準電圧よりも小さい場合は前記入力端子に切替え可能に結合することによって、前記第２のコントローラ入力の前記電圧を設定するように構成される、請求項２に記載の回路。
【請求項４】
前記基準コントローラは、前記入力電圧が前記基準電圧と等しい場合は前記第２のコントローラ入力を前記入力端子に結合するように構成される、請求項３に記載の回路。
【請求項５】
前記基準コントローラは、前記ダイオードコントローラの前記第２のコントローラ入力への第２の電圧として前記入力電圧を与えるか前記基準電圧を与えるかを選択するように構成された選択回路を含む、請求項１から請求項４のいずれか一項に記載の回路。
【請求項６】
前記基準コントローラは、第１の基準入力、第２の基準入力および基準出力を有する基準比較器を含み、前記第１の基準入力は前記入力電圧を受信するために前記入力端子に接続され、前記第２の基準入力は前記基準電圧を受信するために前記基準電圧源に接続され、前記選択回路を制御するために前記基準出力からの信号が与えられる、請求項５に記載の回路。
【請求項７】
前記ダイオードコントローラは、第１のコントローラ入力と、第２のコントローラ入力と、コントローラ出力とを有し、前記コントローラ出力を駆動して前記基準電圧と等しい電圧を維持するように構成される、請求項１から請求項６のいずれか一項に記載の回路。
【請求項８】
前記ダイオード回路は切替え可能な要素を含む、請求項１から請求項７のいずれか一項に記載の回路。
【請求項９】
前記切替え可能な要素は電界効果トランジスタである、請求項８に記載の回路。
【請求項１０】
前記ダイオード回路は、前記入力端子と前記出力端子との間に接続される一対の切替え可能な要素を含み、前記制御回路は前記一対の切替え可能な要素に結合される、請求項８または９に記載の回路。
【請求項１１】
請求項１から請求項１０のいずれか一項に記載の絶縁および電圧調整回路と、前記絶縁および電圧調整回路の前記入力端子に接続される電気化学電源とを備える、システム。
【請求項１２】
前記電気化学電源は燃料電池を含む、請求項１１に記載のシステム。
【請求項１３】
電気化学電源のための絶縁および電圧調整回路を動作させる方法であって、前記回路は、
前記電源に結合されて、前記電源から入力電圧を受信する入力端子と、
負荷に結合される出力端子と、
前記入力端子と前記出力端子との間に接続されるダイオード回路と、
前記入力端子と前記出力端子との間の前記ダイオード回路を通る電気伝導を制御するダイオードコントローラとを備え、前記ダイオードコントローラは、前記出力端子に結合される第１のコントローラ入力と、第２のコントローラ入力とを有し、前記回路はさらに、
基準電圧を与える基準源を備え、
前記方法は、
前記入力電圧を前記基準電圧と比較することと、
前記比較の結果に従って前記第２のコントローラ入力の電圧を設定することとを備える、方法。
【請求項１４】
前記第２のコントローラ入力の前記電圧を、
前記入力電圧が前記基準電圧よりも大きい場合は前記基準電圧として設定し、
前記入力電圧が前記基準電圧よりも小さい場合は前記入力電圧として設定することを備える、請求項１３に記載の方法。
【手続補正２】
【補正対象書類名】明細書
【補正対象項目名】００１４
【補正方法】変更
【補正の内容】
【００１４】
【図１】電源を負荷に結合するための理想ダイオードを示す図である。
【図２】負荷が電力供給からの過剰開路電圧から保護される、当該電力供給用の絶縁および電圧調整回路を示す図である。
【図３】燃料源、負荷、ならびにダイオード回路を提供するデュアルトランジスタ配列を有する絶縁および電圧調整回路を含むシステムを示す図である。
【図４】図２または図３を参照して上述した回路などの絶縁および電圧調整回路を動作させる方法を示す図である。
【手続補正３】
【補正対象書類名】明細書
【補正対象項目名】００３８
【補正方法】変更
【補正の内容】
【００３８】
図４は、図２または図３を参照して上述した回路などの絶縁および電圧調整回路を動作させる方法４００を示す。方法４００は、入力電圧を基準電圧と比較すること４０２と、当該比較の結果に従って第２のコントローラ入力の電圧を設定すること４０４とを含む。当該方法は、入力電圧が基準電圧よりも大きい場合は、第２のコントローラ入力の電圧を基準電圧として設定するステップを含み得る。当該方法は、入力電圧が基準電圧よりも小さい場合は、第２のコントローラ入力の電圧を入力電圧として設定するステップも含み得る。当該方法は、図２および図３に示す回路を参照して上述したいずれかのステップをさらに含み得る。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
マルチテナントクラスタ環境においてネットワーク分離をサポートするための方法であって、
前記マルチテナントクラスタ環境内の１つ以上のテナントをサポートするステップと、
前記１つ以上のテナントの各々を複数のパーティションのうちのあるパーティションに関連付けるステップと、
前記複数のパーティションの各々を複数のノードのうちの１つ以上のノードに関連付けるステップとを備え、前記複数のノードの各々は、複数のスイッチのうちのリーフスイッチに関連付けられ、前記複数のスイッチは、複数のリーフスイッチと、別のレベルにおける少なくとも１つのスイッチとを備え、前記方法はさらに、
前記複数のパーティションの各々を複数のポリシーパラメータのうちのあるポリシーパラメータでマーキングするステップと、
前記複数のノードの各ノードにパーティション化順序を割り当てるステップとを備え、前記パーティション化順序は、少なくとも各ノードに関連付けられた前記パーティションにマーキングされた前記ポリシーパラメータに基づき、前記方法はさらに、
少なくとも前記複数のパーティションのうちの前記パーティションの前記マーキングに基づいて、前記マルチテナントクラスタ環境で使用される１つ以上のリニアフォワーディングテーブルを生成するステップを備える、方法。
【請求項２】
前記複数のパーティションの各々をグローバルなポリシーパラメータでマーキングするステップをさらに備える、請求項１に記載の方法。
【請求項３】
前記複数のポリシーパラメータは、
厳格なパラメータと、
厳格な仮想レーンパラメータと、
ベストエフォートパラメータとを備える、請求項１または２に記載の方法。
【請求項４】
厳格なパラメータでマーキングされたパーティションに関連付けられるノードのパーティション化順序は、厳格な仮想レーンパラメータでマーキングされたパーティションに関連付けられるノードのパーティション化順序より前であり、厳格な仮想レーンパラメータでマーキングされたパーティションに関連付けられるノードのパーティション化順序は、ベストエフォートパラメータでマーキングされたパーティションに関連付けられるノードのパーティション化順序より前である、請求項３に記載の方法。
【請求項５】
１つ以上のリニアフォワーディングテーブルを生成するステップは、
前記複数のリーフスイッチの各々について、各ノードの前記パーティション化順序に従って前記複数のノードを順序付けるステップと、
前記ノードの順序で複数のエンドノードをルーティングするステップとを備え、前記ルーティングするステップは、
各ノードについて少なくとも１つの下りポートおよび少なくとも１つの上りポートを選択するステップを備える、請求項４に記載の方法。
【請求項６】
前記ノードの順序で前記複数のエンドノードをルーティングするステップは、厳格なパラメータでマーキングされたパーティションに関連付けられるそれらのノードに対して厳格な分離を提供する、請求項５に記載の方法。
【請求項７】
前記ノードの順序で前記複数のエンドノードをルーティングするステップは、厳格な仮想レーンパラメータでマーキングされたパーティションに関連付けられるそれらのノードに対して仮想レーン上で分離を提供する、請求項５または６に記載の方法。
【請求項８】
マルチテナントクラスタ環境においてネットワーク分離をサポートするシステムであって、
１つ以上のプロセッサと、
命令を格納したメモリとを備え、前記命令は、前記１つ以上のプロセッサによって実行されたときに前記１つ以上のプロセッサにステップを実行させ、前記ステップは、
前記マルチテナントクラスタ環境内の１つ以上のテナントをサポートするステップと、
前記１つ以上のテナントの各々を複数のパーティションのうちのあるパーティションに関連付けるステップと、
前記複数のパーティションの各々を複数のノードのうちの１つ以上のノードに関連付けるステップとを備え、前記複数のノードの各々は、複数のスイッチのうちのリーフスイッチに関連付けられ、前記複数のスイッチは、複数のリーフスイッチと、別のレベルにおける少なくとも１つのスイッチとを備え、前記ステップはさらに、
前記複数のパーティションの各々を複数のポリシーパラメータのうちのあるポリシーパラメータでマーキングするステップと、
前記複数のノードの各ノードにパーティション化順序を割り当てるステップとを備え、前記パーティション化順序は、少なくとも各ノードに関連付けられた前記パーティションにマーキングされた前記ポリシーパラメータに基づき、前記ステップはさらに、
少なくとも前記複数のパーティションのうちの前記パーティションの前記マーキングに基づいて、前記マルチテナントクラスタ環境で使用される１つ以上のリニアフォワーディングテーブルを生成するステップを備える、システム。
【請求項９】
前記１つ以上のプロセッサは、前記複数のパーティションの各々をグローバルなポリシーパラメータでマーキングするステップを備えるさらに他のステップを実行するように動作する、請求項８に記載のシステム。
【請求項１０】
前記複数のポリシーパラメータは、
厳格なパラメータと、
厳格な仮想レーンパラメータと、
ベストエフォートパラメータとを備える、請求項８または９に記載のシステム。
【請求項１１】
厳格なパラメータでマーキングされたパーティションに関連付けられるノードのパーティション化順序は、厳格な仮想レーンパラメータでマーキングされたパーティションに関連付けられるノードのパーティション化順序より前であり、厳格な仮想レーンパラメータでマーキングされたパーティションに関連付けられるノードのパーティション化順序は、ベストエフォートパラメータでマーキングされたパーティションに関連付けられるノードのパーティション化順序より前である、請求項１０に記載のシステム。
【請求項１２】
１つ以上のリニアフォワーディングテーブルを生成するステップは、
前記複数のリーフスイッチの各々について、各ノードの前記パーティション化順序に従って前記複数のノードを順序付けるステップと、
前記ノードの順序で複数のエンドノードをルーティングするステップとを備え、前記ルーティングするステップは、
各ノードについて少なくとも１つの下りポートおよび少なくとも１つの上りポートを選択するステップを備える、請求項１１に記載のシステム。
【請求項１３】
前記ノードの順序で前記複数のエンドノードをルーティングするステップは、厳格なパラメータでマーキングされたパーティションに関連付けられるそれらのノードに対して厳格な分離を提供する、請求項１２に記載のシステム。
【請求項１４】
前記ノードの順序で前記複数のエンドノードをルーティングするステップは、厳格な仮想レーンパラメータでマーキングされたパーティションに関連付けられるそれらのノードに対して仮想レーン上で分離を提供する、請求項１２または１３に記載のシステム。
【請求項１５】
コンピュータプログラムであって、前記コンピュータプログラムは、マルチテナントクラスタ環境においてネットワーク分離をサポートするためのプログラム命令を備え、前記プログラム命令は、実行されたときにコンピュータに請求項１〜７のいずれか１項に記載の方法を実行させる、コンピュータプログラム。